(57)【要約】【課題】画像表示の処理負荷を軽減すること。【解決手段】一実施形態に係る表示装置は、表示パネルと処理装置を含む。表示パネルは、第１乃至第４副画素を含む画素を有する。処理装置は、１フレームの画像を表示するに際して画素ごとに伸長係数の候補を決定し、決定した各候補に基づいて当該フレームに対する伸長係数を決定し、決定した伸長係数と画素の入力値とに基づいて画素の出力値を演算し、この出力値を表示パネルに出力する。さらに、処理装置は、入力値が第１フレーム及び第１フレームに続く第２フレームで実質的に同一でない画素については、当該画素の第２フレームにおける入力値に基づき第２フレームの伸長係数の候補を演算し、入力値が第１フレーム及び第２フレームで実質的に同一である画素については第２フレームの伸長係数の候補を演算しない。【選択図】図７
2017107043.tif 000002
【特許請求の範囲】
【請求項１】
第１副画素、第２副画素、第３副画素、及び第４副画素を含む画素を有した表示パネルと、
１フレームの画像を表示するに際して、前記画素ごとに伸長係数の候補を決定し、決定した各候補に基づいて当該フレームに対する前記伸長係数を決定し、決定した前記伸長係数と、前記第１乃至第３副画素の成分を含む前記画素の入力値とに基づいて、前記第１乃至第４副画素の成分を含む前記画素の出力値を演算し、前記出力値を前記表示パネルに出力する処理装置と、
を備えた表示装置であって、
前記処理装置は、
前記入力値が第１フレーム及び前記第１フレームに続く第２フレームで実質的に同一でない前記画素については、当該画素の前記第２フレームにおける前記入力値に基づき、前記第２フレームの前記伸長係数の候補を演算し、
前記入力値が前記第１フレーム及び前記第２フレームで実質的に同一である前記画素については、前記第２フレームの前記伸長係数の候補を演算しない、
表示装置。
【請求項２】
前記処理装置は、前記入力値が前記第１フレーム及び前記第２フレームで実質的に同一である前記画素については、前記第１フレームにおいて演算された前記伸長係数の候補を、前記第２フレームにおける前記伸長係数の候補とする、
請求項１に記載の表示装置。
【請求項３】
前記入力値が前記第１フレーム及び前記第２フレームで実質的に同一である前記画素には、前記第１フレーム及び前記第２フレームそれぞれの前記入力値における前記第１副画素の成分の差分、前記第１フレーム及び前記第２フレームそれぞれの前記入力値における前記第２副画素の成分の差分、前記第１フレーム及び前記第２フレームそれぞれの前記入力値における前記第３副画素の成分の差分が、いずれも閾値未満である前記画素が含まれる、
請求項１又は２に記載の表示装置。
【請求項４】
前記処理装置は、前記入力値が表す色の色相及び彩度の少なくとも一方に基づいて前記閾値を設定する、
請求項３に記載の表示装置。
【請求項５】
前記処理装置は、
複数の前記画素を含むブロックごとに検査値を生成し、
前記検査値が前記第１フレーム及び前記第２フレームで実質的に同一である前記ブロックに含まれる前記画素については、前記入力値が前記第１フレーム及び前記第２フレームで実質的に同一であると判定する、
請求項１乃至４のうちいずれか１項に記載の表示装置。
【請求項６】
前記検査値は、前記ブロックに含まれる複数の前記画素それぞれの前記入力値について、前記第１副画素の成分を合計した値、前記第２副画素の成分を合計した値、及び、前記第３副画素の成分を合計した値の少なくとも１つを含む、
請求項５に記載の表示装置。
【請求項７】
前記処理装置は、
前記入力値が表す色の彩度と前記伸長係数との関係を示す統計情報を生成し、
前記入力値が前記第１フレーム及び前記第２フレームで実質的に同一でない前記画素について、前記入力値に基づいて前記伸長係数の第１候補を決定するとともに、前記統計情報に基づいて前記伸長係数の第２候補を決定し、前記第１候補及び前記第２候補のうちのいずれか一方を当該画素の前記伸長係数の候補に選定する、
請求項１乃至６のうちいずれか１項に記載の表示装置。
【請求項８】
前記処理装置は、
所定の色空間に定義された複数のエリアごとに前記統計情報を生成し、
前記入力値が前記第１フレーム及び前記第２フレームで実質的に同一でない前記画素について、前記複数のエリアのうち前記入力値が表す色が属するエリアの前記統計情報に基づいて前記第２候補を決定する、
請求項７に記載の表示装置。
【請求項９】
前記入力値に含まれる前記第１乃至第３副画素の各成分は、第１ビット幅を有し、
前記出力値に含まれる前記第１乃至第４副画素の各成分は、前記第１ビット幅よりも小さい第２ビット幅を有し、
前記処理装置は、
前記入力値の前記各成分のビット幅を、前記第１ビット幅から前記第２ビット幅に変換し、
前記第２ビット幅に変換した後の前記各成分に基づき、前記入力値が前記第１フレーム及び前記第２フレームで実質的に同一であるかを判定する、
請求項１乃至８のうちいずれか１項に記載の表示装置。
【発明の詳細な説明】
【技術分野】
【０００１】
本発明の実施形態は、表示装置に関する。
【背景技術】
【０００２】
カラー画像を表示する表示装置においては、１つの画素が複数の副画素を備え、これら副画素がそれぞれ異なる色の光を出力することで、１つの画素で種々の色を表現している。このような表示装置において、画像を高輝度で表示しようとする場合、例えばバックライトの輝度を高くする必要があり、消費電力が増大し得る。これを改善するため、一般的な赤色、緑色、青色の副画素に白色の副画素を加える技術がある。白色の副画素を加えれば、この副画素が輝度を向上させるためにバックライトの輝度を下げることができ、結果として消費電力を低減できる。
【０００３】
表示装置に入力されるデータは、一般に、赤色、緑色、青色の入力値により構成されている。画素に白色の副画素を加える場合には、これらの入力値に基づいて白色の副画素の出力値を生成するとともに、白色の副画素の出力値を考慮して赤色、緑色、青色の副画素の出力値を生成する必要がある。したがって、画像表示の処理負荷が増大する。
【先行技術文献】
【特許文献】
【０００４】
【特許文献１】特開２０１４−１５５０２４号公報
【特許文献２】特開２０１４−１８６２４５号公報
【発明の概要】
【発明が解決しようとする課題】
【０００５】
本開示の一態様における目的は、画像表示の処理負荷を軽減することが可能な表示装置を提供することである。
【課題を解決するための手段】
【０００６】
一実施形態に係る表示装置は、表示パネルと、処理装置とを含む。上記表示パネルは、第１副画素、第２副画素、第３副画素、及び第４副画素を含む画素を有している。上記処理装置は、１フレームの画像を表示するに際して、上記画素ごとに伸長係数の候補を決定し、決定した各候補に基づいて当該フレームに対する上記伸長係数を決定し、決定した上記伸長係数と、上記第１乃至第３副画素の成分を含む上記画素の入力値とに基づいて、上記第１乃至第４副画素の成分を含む上記画素の出力値を演算し、上記出力値を上記表示パネルに出力する。さらに、上記処理装置は、上記入力値が第１フレーム及び上記第１フレームに続く第２フレームで実質的に同一でない上記画素については、当該画素の上記第２フレームにおける上記入力値に基づき、上記第２フレームの上記伸長係数の候補を演算し、上記入力値が上記第１フレーム及び上記第２フレームで実質的に同一である上記画素については、上記第２フレームの上記伸長係数の候補を演算しない。
【図面の簡単な説明】
【０００７】
【図１】図１は、各実施形態に係る液晶表示装置の概略的な構成を示す図である。
【図２】図２は、上記液晶表示装置が備える表示パネルの等価回路の一例を示す図である。
【図３】図３は、上記液晶表示装置が備える信号処理装置による出力値生成の概要を示す図である。
【図４】図４は、上記信号処理装置の機能ブロック図である。
【図５】図５は、ＹＵＶ色空間におけるエリアの定義の一例を示す図である。
【図６】図６は、統計情報のデータ構造の一例を示す図である。
【図７】図７は、第１実施形態に係る信号処理装置が実行する処理を示すフローチャートである。
【図８】図８は、α演算処理の一例を示すフローチャートである。
【図９】図９は、統計情報の更新を説明するための図である。
【図１０】図１０は、第２実施形態に係る信号処理装置が実行する処理を示すフローチャートである。
【図１１】図１１は、第３実施形態に係る信号処理装置が実行する処理を示すフローチャートである。
【図１２】図１２は、第４実施形態の概念を説明するための図である。
【発明を実施するための形態】
【０００８】
いくつかの実施形態について、図面を参照しながら説明する。  
なお、開示はあくまで一例に過ぎず、当業者において、発明の趣旨を保っての適宜変更について容易に想到し得るものについては、当然に本発明の範囲に含有される。また、図面は説明をより明確にするために、実際の態様に比べて、各部の幅、厚さ、形状等について模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を適宜省略することがある。
【０００９】
各実施形態においては、表示装置の一例として液晶表示装置を開示する。ただし、各実施形態は、他種の表示装置に対する、各実施形態にて開示される個々の技術的思想の適用を妨げるものではない。他種の表示装置としては、有機エレクトロルミネッセンス表示装置などの自発光型の表示装置、或いは電気泳動素子等を有する電子ペーパ型の表示装置などが想定される。
【００１０】
先ず、各実施形態に共通する構成について説明する。  
図１は、各実施形態に係る液晶表示装置１の概略的な構成を示す図である。液晶表示装置１は、表示パネル２と、バックライト３と、信号処理装置４と、光源ドライバ５とを備えている。
表示パネル２は、アレイ基板と、このアレイ基板に対向する対向基板と、これらアレイ基板及び対向基板の間に封入された液晶層とを備えている。さらに、表示パネル２は、多数の画素ＰＸがマトリクス状に配列された表示領域２０と、各画素ＰＸを駆動するゲートドライバ２１及びソースドライバ２２とを備えている。ゲートドライバ２１及びソースドライバ２２は、例えば、表示パネル２に内蔵回路として形成されている。ゲートドライバ２１及びソースドライバ２２は、表示パネル２とは別途に形成されたものであっても良い。
【００１１】
バックライト３は、表示パネル２の裏面側（表示面と反対側）に配置されている。バックライト３は、例えば面光源装置であって、導光板と、導光板の端部に沿って配列された発光ダイオードなどの光源とを備えている。光源からの光が導光板を伝播し、表示パネル２と対向する導光板の主面から発せられる。これにより、表示領域２０に画像表示のための光が供給される。なお、液晶表示装置１は、バックライト３に代えて、表示パネル２の表示面側に配置されたフロントライトを備えても良い。さらに、液晶表示装置１は、外光の反射光を表示に利用するための構造を、バックライト３やフロントライトとともに備えても良い。
【００１２】
液晶表示装置１には、例えば同装置が搭載される電子機器の制御基板から、画像を表示するための画像データが入力される。この画像データは、各画素ＰＸの表示色を表す入力値（入力信号）を含む。例えば、この入力値は、赤色の成分Ｒinと、緑色の成分Ｇinと、青色の成分Ｂinとを含む。
【００１３】
信号処理装置４は、例えば表示パネル２に実装されている。信号処理装置４は、フレキシブル配線基板などを介して表示パネル２と接続されたものであっても良い。信号処理装置４は、入力値（Ｒin，Ｇin，Ｂin）に基づいて、表示パネル２への出力値を演算する。例えば、この出力値は、赤色の成分Ｒoutと、緑色の成分Ｇoutと、青色の成分Ｂoutと、白色の成分Ｗoutとを含む。
さらに、信号処理装置４は、入力値（Ｒin，Ｇin，Ｂin）或いは出力値（Ｒout，Ｇout，Ｂout，Ｗout）に基づいて、光源ドライバ５の制御信号を生成する。光源ドライバ５は、この制御信号に基づいてバックライト３の光源の輝度を調整する。光源ドライバ５は、バックライト３の光源を単に点灯及び消灯させるものであっても良い。
【００１４】
図２は、表示パネル２の等価回路の一例を示す図である。表示パネル２は、複数の走査線（ゲート配線ともいう）Ｇと、各走査線Ｇと交わる複数の信号線（ソース配線ともいう）Ｓとを備えている。各走査線Ｇは、第１方向Ｘに延びるとともに第２方向Ｙに並んでいる。各信号線Ｓは、第２方向Ｙに延びるとともに第１方向Ｘに並んでいる。第１方向Ｘ及び第２方向Ｙは、例えば垂直に交わる。
【００１５】
図２の例においては、各走査線Ｇ及び各信号線Ｓによって区画された領域が１つの副画素ＳＰＸに相当する。ここでは、赤色の副画素ＳＰＸＲ（第１副画素）と、緑色の副画素ＳＰＸＧ（第２副画素）と、青色の副画素ＳＰＸＢ（第３副画素）と、白色の副画素ＳＰＸＷ（第４副画素）とで１つの画素ＰＸが構成されている。図２の例においては、副画素ＳＰＸＲ，ＳＰＸＧ，ＳＰＸＢ，ＳＰＸＷがこの順で第１方向Ｘに並んでいるが、これら副画素ＳＰＸのレイアウトは任意である。また、１つの画素ＰＸに同一の色に対応する複数の副画素ＳＰＸが含まれても良い。
【００１６】
各副画素ＳＰＸは、スイッチング素子ＳＷを備えている。スイッチング素子ＳＷは、例えばアレイ基板に形成された薄膜トランジスタである。スイッチング素子ＳＷは、走査線Ｇ、信号線Ｓ、及び画素電極ＰＥと電気的に接続されている。画素電極ＰＥは、スイッチング素子ＳＷがオンされた際に、複数の副画素ＳＰＸに亘って形成された共通電極ＣＥとの間で、液晶層ＬＣに作用する電界を生成する。
【００１７】
ゲートドライバ２１は、各走査線Ｇに対して走査信号を順次供給する。ソースドライバ２２は、信号処理装置４からの出力値（Ｒout，Ｇout，Ｂout，Ｗout）に応じて、各信号線Ｓに対して映像信号を選択的に供給する。あるスイッチング素子ＳＷに接続された走査線Ｇに走査信号が供給され、かつこのスイッチング素子ＳＷに接続された信号線Ｓに映像信号が供給されると、この映像信号に応じた電圧が画素電極ＰＥに印加される。このとき画素電極ＰＥと共通電極ＣＥとの間に生じる電界によって、液晶層ＬＣの液晶分子の配向が電圧の印加されていない初期配向状態から変化する。このような動作により、バックライト３からの光が表示パネル２を選択的に透過し、表示領域２０に画像が表示される。
【００１８】
なお、副画素ＳＰＸＲ，ＳＰＸＧ，ＳＰＸＢ，ＳＰＸＷにはそれぞれ赤色、緑色、青色、白色（或いは透明）のカラーフィルタが対向している。これにより、各副画素の透過光が着色され、カラー表示が実現される。カラーフィルタは、例えば対向基板に形成されている。副画素ＳＰＸＷについては、カラーフィルタが形成されていなくても良い。
【００１９】
続いて、信号処理装置４の詳細について説明する。  
信号処理装置４は、入力値（Ｒin，Ｇin，Ｂin）に基づいて出力値（Ｒout，Ｇout，Ｂout，Ｗout）を生成するための各種処理を実行する。図３は、出力値（Ｒout，Ｇout，Ｂout，Ｗout）の生成の概要を示す図である。信号処理装置４は、図３（ａ）に示す各成分Ｒin，Ｇin，Ｂinに伸長係数αを乗じることで、図３（ｂ）に示すように各成分Ｒin，Ｇin，Ｂinを伸長する。次いで、信号処理装置４は、図３（ｂ）に破線で示した各成分Ｒin，Ｇin，Ｂinの共通部分を白色の成分Ｗoutに置換する。このとき、信号処理装置４は、成分Ｗoutに応じて伸長後の各成分Ｒin，Ｇin，Ｂinを低減することにより、出力値の成分Ｒout、Ｇout、Ｂoutを生成する。このようにして、図３（ｃ）に示す出力値（Ｒout，Ｇout，Ｂout，Ｗout）が生成される。
【００２０】
以上のような処理を実現する信号処理装置４の構成につき、図４の機能ブロック図を用いて説明する。信号処理装置４は、補正モジュール４０と、色エリア処理モジュール４１と、α演算モジュール４２と、出力演算モジュール４３とを備えている。各モジュール４０〜４３は、ソフトウェアにより実現されるものであっても良いし、ＩＣや各種回路等のハードウェアにより実現されるものであっても良い。また、各モジュール４０〜４３は信号処理装置４の機能の一例を説明するためのものであって、これらの一部を纏めたモジュールや細分化されたモジュールが定義されても良い。
【００２１】
各実施形態では、一例として、入力値（Ｒin，Ｇin，Ｂin）に対して予めγ補正が施されている場合を想定する。補正モジュール４０は、入力値（Ｒin，Ｇin，Ｂin）に対して逆γ補正であるリニア変換を施す。補正モジュール４０は、例えば各成分Ｒin，Ｇin，Ｂinがそれぞれ８ビット（０〜２５５）で表されるＲＧＢデータである場合、各成分Ｒin，Ｇin，Ｂinがそれぞれ０以上１以下の値となるように正規化した後に逆γ補正を施しても良い。
【００２２】
色エリア処理モジュール４１は、入力値（Ｒin，Ｇin，Ｂin）により表される色が、所定の色空間において予め定められた複数のエリアのいずれに属するかを判定する。各実施形態では、この色空間がＹＵＶ色空間である場合を想定する。ＹＵＶ色空間は、輝度（Ｙ）、輝度と青色の色差（Ｕ或いはＣｂ）、輝度と赤色の色差（Ｖ或いはＣｒ）により定義される色空間である。
【００２３】
図５は、ＹＵＶ色空間におけるエリアの定義の一例を示す図である。この例では、色差Ｕ（Ｃｂ）及びＶ（Ｃｒ）で表される２次元空間において、第１色エリアＡ１、第２色エリアＡ２、第３色エリアＡ３、及び、第４色エリアＡ４が定義されている。第４色エリアＡ４は、原点Ｏを含むエリアである。第３色エリアＡ３は、第４色エリアＡ４を囲うエリアである。第２色エリアＡ２は、第３色エリアＡ３を囲うエリアである。第１色エリアＡ１は、第２色エリアＡ２を囲うエリアである。図５の例において、各色エリアＡ１〜Ａ４は、原点Ｏを中心とした同心円状である。各色エリアＡ１〜Ａ４に含まれないエリアを第５色エリアとして定義しても良い。なお、色エリアの数や形状は図５に示すものに限定されないし、ＹＵＶ色空間以外の色空間において色エリアを定義することもできる。
【００２４】
色エリア処理モジュール４１は、入力値（Ｒin，Ｇin，Ｂin）と、この入力値により表される色が属する色エリアを示す色エリア情報とを、フレームバッファ５０に書き込む。フレームバッファ５０は、例えば１フレーム分の画像データ（各画素の入力値）と、この画像データに含まれる各入力値（Ｒin，Ｇin，Ｂin）の色エリア情報とを記憶するメモリである。
【００２５】
α演算モジュール４２は、１フレームの画像を表示するに際して、表示領域２０に含まれる各画素ＰＸそれぞれについて伸長係数α（或いは逆数１／α）の候補を決定し、決定した各候補に基づいて当該フレームに対する伸長係数αを決定する。例えば、α演算モジュール４２は、画素ＰＸの入力値（Ｒin，Ｇin，Ｂin）に基づいて伸長係数αの第１候補を演算し、統計情報ＳＩに基づいて伸長係数αの第２候補を演算し、これら第１候補及び第２候補のうちのいずれか一方を当該画素ＰＸの伸長係数αの候補に決定する。
【００２６】
統計情報ＳＩは、入力値（Ｒin，Ｇin，Ｂin）が表す色の彩度と、伸長係数α０（或いは逆数１／α０）との関係を表す。ここに、伸長係数α０は、各画素ＰＸの入力値（Ｒin，Ｇin，Ｂin）に基づいて仮に計算される伸長係数である。各実施形態において、α演算モジュール４２は、第１色エリアＡ１に含まれる色の入力値（Ｒin，Ｇin，Ｂin）を対象とした統計情報ＳＩ１と、第２色エリアＡ２に含まれる色の入力値（Ｒin，Ｇin，Ｂin）を対象とした統計情報ＳＩ２と、第３色エリアＡ３に含まれる色の入力値（Ｒin，Ｇin，Ｂin）を対象とした統計情報ＳＩ３と、第４色エリアＡ４に含まれる色の入力値（Ｒin，Ｇin，Ｂin）を対象とした統計情報ＳＩ４とを生成する。
【００２７】
統計情報ＳＩ（ＳＩ１〜ＳＩ４）のデータ構造の一例を、図６に示す。この図の例の統計情報ＳＩは、４つのカウント値Ｃ１〜Ｃ４を含む。カウント値Ｃ１は、彩度が閾値ＳＨ１未満の入力値（Ｒin，Ｇin，Ｂin）に基づいて算出される１／α０に基づく統計値である。カウント値Ｃ２は、彩度が閾値ＳＨ１以上かつ閾値ＳＨ２未満の入力値（Ｒin，Ｇin，Ｂin）に基づいて算出される１／α０に基づく統計値である。カウント値Ｃ３は、彩度が閾値ＳＨ２以上かつ閾値ＳＨ３未満の入力値（Ｒin，Ｇin，Ｂin）に基づいて算出される１／α０に基づく統計値である。カウント値Ｃ４は、彩度が閾値ＳＨ３以上の入力値（Ｒin，Ｇin，Ｂin）に基づいて算出される１／α０に基づく統計値である。
【００２８】
出力演算モジュール４３は、補正モジュール４０により逆γ補正が施された後の入力値（Ｒin，Ｇin，Ｂin）及びα演算モジュール４２により演算された伸長係数αに基づいて、各画素ＰＸの出力値（Ｒout，Ｇout，Ｂout，Ｗout）を生成する。出力値の成分Ｗoutは、例えば図３を用いて上述したように、伸長係数αで伸長された各成分Ｒin、Ｇin、Ｂinの共通部分を置換することで生成できる。また、出力値の成分Ｒout、Ｇout、Ｂoutは、伸長係数αで伸長された各成分Ｒin、Ｇin、Ｂinから成分Ｗoutに応じた値を減じることで生成できる。
【００２９】
また、出力演算モジュール４３は、上述の正規化が入力値（Ｒin，Ｇin，Ｂin）に対して施される場合には、生成した出力値（Ｒout，Ｇout，Ｂout，Ｗout）を８ビットのデータに変換する。さらに、出力演算モジュール４３は、出力値（Ｒout，Ｇout，Ｂout，Ｗout）に対して、当初の入力値（Ｒin，Ｇin，Ｂin）に施されていたγ補正と同じγ値（例えばγ＝２．２）にてγ補正を施す。
【００３０】
なお、入力値（Ｒin，Ｇin，Ｂin）に基づいた伸長係数α，α０や出力値（Ｒout，Ｇout，Ｂout，Ｗout）の演算などには、例えば特開２０１４−１３９６４７号公報、特開２０１５−８２０２４号公報、特開２０１４−１９１３３８号公報、特開２０１４−１５５０２４号公報、及び、特開２０１４−１８６２４５号公報などに開示された方法を適宜に援用することができる。
【００３１】
このように、Ｗ成分を含まない入力値に基づいてＷ成分を含む出力値を生成するには、多大な処理量が必要となる。そこで、以下に説明する各実施形態では、信号処理装置４が以下の（１）（２）の処理を選択的に実行することにより処理負荷を軽減する。
（１）入力値（Ｒin，Ｇin，Ｂin）が第１フレーム及びこの第１フレームに続く第２フレームで実質的に同一でない画素ＰＸについて、当該画素ＰＸの入力値（Ｒin，Ｇin，Ｂin）に基づき伸長係数αの候補を演算する第１処理。  
（２）入力値（Ｒin，Ｇin，Ｂin）が第１フレーム及び第２フレームで実質的に同一である画素ＰＸについて、伸長係数αの候補は演算せずに、第１フレームにて演算された当該画素ＰＸの伸長係数αの候補を第２フレームにおける当該画素ＰＸの伸長係数αの候補として利用する第２処理。
【００３２】
これら第１処理及び第２処理の具体例を含む実施形態を以下に説明する。  
（第１実施形態）  
図７は、第１実施形態に係る信号処理装置４が実行する処理を示すフローチャートである。このフローチャートの処理は、１つのフレームについて各画素ＰＸの出力値（Ｒout，Ｇout，Ｂout，Ｗout）を演算するための処理に相当する。
【００３３】
先ず、信号処理装置４は、ある画素ＰＸについて、現在表示されている第１フレーム（ＣＩ）における入力値（Ｒin，Ｇin，Ｂin）と、次に表示する第２フレーム（ＮＩ）における入力値（Ｒin，Ｇin，Ｂin）とを比較する（ステップＳ１０１）。以下、ここで入力値を比較した画素ＰＸを、処理対象の画素ＰＸと呼ぶ。
【００３４】
続いて、信号処理装置４は、処理対象の画素ＰＸの第１フレーム及び第２フレームにおける入力値（Ｒin，Ｇin，Ｂin）が実質的に同一であるかを判定する（ステップＳ１０２）。例えば、信号処理装置４は、第１フレームの成分Ｒinと第２フレームの成分Ｒin、第１フレームの成分Ｇinと第２フレームの成分Ｇin、第１フレームの成分Ｂinと第２フレームの成分Ｂinがいずれも一致する場合に、第１フレーム及び第２フレームにおける入力値（Ｒin，Ｇin，Ｂin）が実質的に同一であると判定する。
【００３５】
或いは、信号処理装置４は、第１フレームの成分Ｒinと第２フレームの成分Ｒinの差分、第１フレームの成分Ｇinと第２フレームの成分Ｇinの差分、第１フレームの成分Ｂinと第２フレームの成分Ｂinの差分がいずれも閾値以下である場合に第１フレーム及び第２フレームにおける入力値（Ｒin，Ｇin，Ｂin）が実質的に同一であると判定しても良い。この閾値は、例えば、各成分Ｒin，Ｇin，Ｂinに対して５％以上２０％以下程度の範囲で定められた固定値或いは可変値である。閾値を可変値とする場合には、例えば、第１フレーム或いは第２フレームの入力値（Ｒin，Ｇin，Ｂin）が表す色の色相と彩度に基づいて、画素ＰＸごとに閾値を演算したり、予め用意されたデータテーブルから閾値を選定したりしても良い。当該閾値は、上述のように画像データから算出するか、或いは、メモリに予め定義されていても良い。一例として、閾値は、彩度が低く且つ色相が黄色から赤色に近づくほど小さくなるように定めることができる。
【００３６】
第１フレーム及び第２フレームにおける入力値（Ｒin，Ｇin，Ｂin）が実質的に同一でないと判定した場合（ステップＳ１０２のＮＯ）、補正モジュール４０が処理対象の画素ＰＸの第２フレームの入力値（Ｒin，Ｇin，Ｂin）に対して上述の逆γ補正を施す（ステップＳ１０３）。
【００３７】
その後、色エリア処理モジュール４１が、入力値（Ｒin，Ｇin，Ｂin）により表される色が上述の第１乃至第４色エリアＡ１〜Ａ４のいずれに属するかを判別する（ステップＳ１０４）。色エリア処理モジュール４１は、判別した色エリアを示す色エリア情報と、処理対象の画素ＰＸの逆γ補正後の入力値（Ｒin，Ｇin，Ｂin）とをフレームバッファ５０に書き込む（ステップＳ１０５）。なお、第２フレームに対する処理を開始する時点では第１フレームの各画素ＰＸの逆γ補正後の入力値（Ｒin，Ｇin，Ｂin）及び色エリア情報がフレームバッファ５０に書き込まれている。ステップＳ１０５において、色エリア処理モジュール４１は、処理対象の画素ＰＸの第１フレームにおける入力値（Ｒin，Ｇin，Ｂin）及び色エリア情報を、当該画素ＰＸの第２フレームにおける入力値（Ｒin，Ｇin，Ｂin）及び色エリア情報で書き換える。
【００３８】
ステップＳ１０５の後、α演算モジュール４２がα演算処理を実行する（ステップＳ１０６）。α演算処理においては、処理対象の画素ＰＸについて伸長係数αの候補が演算される。α演算処理の詳細については、図８を用いて後述する。
ステップＳ１０２において、処理対象の画素ＰＸの第１フレーム及び第２フレームにおける入力値（Ｒin，Ｇin，Ｂin）が実質的に同一であると判定した場合（ステップＳ１０２のＹＥＳ）、信号処理装置４は、ステップＳ１０３〜Ｓ１０６を実行しない。この場合、処理対象の画素ＰＸの第１フレームにおける伸長係数αの候補が、そのまま当該画素ＰＸの第２フレームにおける伸長係数αの候補として利用される。また、第１フレームにおいて逆γ補正が施され、フレームバッファ５０に書き込まれた当該画素ＰＸの入力値（Ｒin，Ｇin，Ｂin）が、そのまま当該画素ＰＸの第２フレームにおける出力値（Ｒout，Ｇout，Ｂout，Ｗout）の演算に用いられる。
【００３９】
ステップＳ１０６の後、或いはステップＳ１０２において第１フレーム及び第２フレームの入力値（Ｒin，Ｇin，Ｂin）が実質的に同一であると判定した場合、信号処理装置４は、処理対象の画素ＰＸが第２フレームの最終画素であるかを判定する（ステップＳ１０７）。言い換えると、信号処理装置４は、第２フレームの全ての画素ＰＸを処理対象とし終えたかを判定する。処理対象の画素ＰＸが最終画素でないと判定した場合（ステップＳ１０７のＮＯ）、信号処理装置４は、未だ処理対象としていない画素ＰＸを次の処理対象として、ステップＳ１０１〜Ｓ１０６を実行する。
【００４０】
全ての画素ＰＸを処理対象とし終えた場合（ステップＳ１０７のＹＥＳ）、α演算モジュール４２が、各画素ＰＸの伸長係数αの候補に基づいて第２フレームの伸長係数αを決定する（ステップＳ１０８）。例えば、α演算モジュール４２は、伸長係数αの各候補のうちで最も小さい値を第２フレームの伸長係数αに決定する。その他にも、例えば各候補の全て或いは一部の平均値を第２フレームの伸長係数αに決定するなど、種々の方法を用いることができる。
【００４１】
ステップＳ１０８の後、出力演算モジュール４３が出力演算処理を実行する（ステップＳ１０９）。出力演算処理において、出力演算モジュール４３は、ステップＳ１０８にて決定された伸長係数αにより、フレームバッファ５０に書き込まれた各画素ＰＸの入力値（Ｒin，Ｇin，Ｂin）を伸長する。さらに、出力演算モジュール４３は、図３を用いて説明したように、各画素ＰＸの伸長後の成分Ｒin，Ｇin，Ｂinに基づいて、各画素ＰＸの出力値（Ｒout，Ｇout，Ｂout，Ｗout）を生成する。その後、出力演算モジュール４３は、各画素ＰＸの出力値（Ｒout，Ｇout，Ｂout，Ｗout）にγ補正を施す。
【００４２】
以上で、１つのフレームに対する信号処理装置４の処理が終了する。信号処理装置４は、このようにして生成された各画素の出力値（Ｒout，Ｇout，Ｂout，Ｗout）を表す信号を表示パネル２に出力する。この信号に基づき、表示パネル２は第２フレームの画像を表示領域２０に表示する。
【００４３】
続いて、ステップＳ１０６のα演算処理について説明する。  
図８は、α演算処理の一例を示すフローチャートである。先ず、α演算モジュール４２が、フレームバッファ５０に書き込まれた処理対象の画素ＰＸの入力値（Ｒin，Ｇin，Ｂin）に基づいて伸長係数α０の逆数１／α０を算出する（ステップＳ２０１）。α演算モジュール４２は、逆数１／α０に代えて、伸長係数α０を算出しても良い。例えば、ステップＳ２０１で算出される逆数１／α０における伸長係数α０は、フレームバッファ５０に書き込まれた処理対象の画素ＰＸの入力値（Ｒin，Ｇin，Ｂin）に乗じることで入力値が表す色の明度が表示パネル２の表現可能範囲の最大値となる値とすることができる。
【００４４】
ステップＳ２０１の後、α演算モジュール４２は、伸長係数αの第１候補を決定する比較処理（ステップＳ２０２）と、伸長係数αの第２候補を決定する統計処理（ステップＳ２０３）とを実行する。
比較処理において、α演算モジュール４２は、これまでに処理対象とし終えた各画素ＰＸに関してステップＳ２０１で算出された逆数１／α０（直前のステップＳ２０１で算出した１／α０含む）のうち、最も大きい値（伸長係数α０が最も小さい値）を選定する。ここで選定された逆数１／α０における伸長係数α０が第１候補に相当する。例えば、第１フレーム及び第２フレームにおける入力値（Ｒin，Ｇin，Ｂin）が実質的に同一であるためにステップＳ２０２が実行されていない画素ＰＸについては、第１フレーム或いはさらに前のフレームのステップＳ２０１において当該画素に関して算出された逆数１／α０を第１候補の選定に用いても良い。
【００４５】
一方、統計処理において、α演算モジュール４２は、統計情報ＳＩ１〜ＳＩ４のうち、直前のステップＳ１０５にてフレームバッファ５０に書き込まれた処理対象の画素ＰＸの色エリア情報に対応する統計情報ＳＩを更新する。
統計情報ＳＩの更新につき、図９を用いて説明する。α演算モジュール４２は、処理対象の画素ＰＸの第２フレームの入力値（Ｒin，Ｇin，Ｂin）が表す色の彩度と上述の閾値ＳＨ１〜ＳＨ３とを比較し、カウント値Ｃ１〜Ｃ４のうち当該彩度に対応するカウント値をカウントアップする。カウントアップ量は、例えば常に一定である。彩度や逆数１／α０の値などに応じてカウントアップ量を重み付けしても良い。または、カウントアップ量は、第２フレームにおける、入力値が実質的に同一でない画素について、１／α０を基に統計値を算出して加算し、第１フレームについても、フレームバッファ５０に格納された色エリア情報と入力値を基に統計値を計算し、対応する色エリアの統計値から減算しても良い。
【００４６】
さらに、α演算モジュール４２は、処理対象の画素ＰＸの第１フレームにおける入力値（Ｒin，Ｇin，Ｂin）が表す色の彩度に対応するカウント値をカウントダウンする。カウントダウン量は、上述のカウントアップ量と同じく、一定であっても良いし重み付けされても良い。一例として、カウント値Ｃ１〜Ｃ４のそれぞれにおけるカウントアップ量とカウントダウン量は同じである。図９の例においては、処理対象の画素ＰＸの第２フレームの入力値（Ｒin，Ｇin，Ｂin）がカウント値Ｃ４に対応し、当該画素ＰＸの第１フレームの入力値（Ｒin，Ｇin，Ｂin）がカウント値Ｃ３に対応する場合を示している。カウント値Ｃ３がカウントダウンされ、このカウントダウンの分だけカウント値Ｃ４がカウントアップされている。
【００４７】
このようにして処理対象の画素ＰＸの色エリアに対応する統計情報ＳＩを更新した後、α演算モジュール４２は、この統計情報ＳＩに基づいて伸長係数αの第２候補を決定する。例えば、α演算モジュール４２は、カウント値Ｃ１〜Ｃ４に基づいて第２候補を選定する。さらに具体的には、カウント値Ｃ１〜Ｃ４ごとに用意された既定値のうちのいずれか１つを第２候補として選定する。この場合においては、例えば、更新後の統計情報ＳＩに含まれるカウント値Ｃ１〜Ｃ４のうち最も値が大きいものに対応する既定値を第２候補とすることができる。α演算モジュール４２は、例えばカウント値Ｃ１〜Ｃ４と所定の計算式とに基づいて第２候補を演算するなど、他の方法により第２候補を決定しても良い。
【００４８】
なお、統計情報ＳＩを用いて第２候補を決定する方法は、以上述べた方法に限定されない。例えば、統計情報ＳＩのカウント値Ｃ１〜Ｃ４は、１／α０の値について定義された複数領域のそれぞれに対応するものであっても良い。この場合、ステップＳ２０３の統計処理においては、例えば、ステップＳ２０１にて算出された１／α０が属する領域に対応するカウント値がカウントアップされる。ある１／α０領域のカウント値には、その領域より１／α０が大きい領域のカウント値が全て加算されていても良い。さらに、各カウント値Ｃ１〜Ｃ４について１／αの代表値と閾値とを定義する。そして、例えばカウント値が閾値以上となったカウント値のうち、値が最も大きいものの代表値を第２候補に決定する。なお、統計情報ＳＩに含まれるカウント値の数は、４つに限られない。また、各色エリアに対する各統計情報ＳＩにおいて、カウント値の数が異なっていても良い。
【００４９】
ステップＳ２０２，Ｓ２０３の後、α演算モジュール４２は、第１候補及び第２候補に基づき、処理対象の画素ＰＸについての伸長係数αの最終的な候補を決定する（ステップＳ２０４）。例えば、α演算モジュール４２は、第１候補及び第２候補のうち、値が小さい一方を伸長係数αの最終的な候補とする。第１候補及び第２候補の平均値を最終的な候補とするなど、他の方法を採用することもできる。ステップＳ２０４を以って、当該フローチャートに示すα演算処理が終了する。
【００５０】
以上説明したように、本実施形態に係る液晶表示装置１は、第１フレーム及び第２フレームにおいて入力値（Ｒin，Ｇin，Ｂin）が実質的に同一である画素については、ステップＳ１０６のα演算処理を省略する。これにより、信号処理装置４の処理負荷を軽減し、演算処理の速度を向上させることができる。
さらに、本実施形態では、α演算処理とともにステップＳ１０３〜Ｓ１０５の処理（逆γ補正等）も省略する。これにより、信号処理装置４の処理負荷を一層軽減することができる。
【００５１】
例えば、表示画像が静止画である場合、第１フレームと第２フレームの各画素ＰＸの入力値（Ｒin，Ｇin，Ｂin）が同じである。したがって、この場合にはα演算処理の処理負荷を１００％削減できる。これは、信号処理装置４の処理全体の負荷について言えば、およそ５０％以上の削減となり得る。さらに、第１フレームと第２フレームの各画素ＰＸの入力値（Ｒin，Ｇin，Ｂin）が実質的に同一でない画素数が全体の１／２程度の動画であっても、信号処理装置４の処理全体の負荷は、およそ３０％程度の削減が可能と見込まれる。
【００５２】
また、上述したように第１フレーム及び第２フレームにおける入力値の各成分Ｒin，Ｇin，Ｂinの差分がいずれも閾値以下である場合にこれらフレームの入力値が実質的に同一であると判定する場合には、同一と判定される画素ＰＸが増えることとなる。したがって、処理負荷をより軽減することができる。このような判定手法は、例えば残像効果を利用して表示色数を増やすＦＲＣ（Frame Rate Control）を採用した場合のように、フレーム毎に僅かな入力値の変化のみ伴う画素が多く存在する場合等に有効である。
【００５３】
処理負荷が大きい場合には、信号処理装置４の動作を汎用のプロセッサによるソフトウェア処理で実現できない場合がある。その場合、信号処理装置４を液晶表示装置１の信号処理に特化した専用ＩＣにより構築する必要が生じる。これに対し、本実施形態のように処理負荷が軽減されれば、信号処理装置４を汎用のプロセッサにより構築することが可能となる。したがって、液晶表示装置１の製造コストの低減や開発期間の短縮を実現できる。また、処理負荷が軽減されれば、液晶表示装置１の消費電力の低減にもつながる。  
以上説明した他にも、本実施形態からは種々の好適な効果を得ることができる。
【００５４】
（第２実施形態）  
第２実施形態について説明する。図１０は、第２実施形態に係る信号処理装置４が実行する処理を示すフローチャートである。第１実施形態において説明したステップと同一又は類似のステップには同一の符号を付し、説明を適宜省略する。
【００５５】
本実施形態では、入力値（Ｒin，Ｇin，Ｂin）の各成分の第１ビット幅よりも出力値（Ｒout，Ｇout，Ｂout，Ｗout）の各成分の第２ビット幅の方が小さい場合を想定する。
図１０のフローチャートは、ステップＳ１０１の前に、ステップＳ１００としてデータビット幅変換処理を含む点で、図７に示したものと相違する。データビット幅変換処理において、信号処理装置４は、処理対象の画素ＰＸの入力値（Ｒin，Ｇin，Ｂin）を、第１ビット幅から第２ビット幅に変換する。通常、ビット幅を下げると誤差が生じる。この誤差により、例えばオリジナルの画像データが表す画像には含まれていない疑似輪郭が表示画像に現れるなど、画質の低下を招き得る。これを防止するために、データビット幅変換処理は、誤差拡散処理を含む。
【００５６】
誤差拡散処理において、信号処理装置４は、ある画素ＰＸの入力値（Ｒin，Ｇin，Ｂin）のビット幅を下げたことにより生じる誤差を、この画素ＰＸの周囲の画素ＰＸに拡散する。例えば、第１ビット幅が８ビットであり、第２ビット幅が６ビットである場合、ある画素ＰＸのビット幅を２ビット下げたことにより生じる誤差を周囲の画素ＰＸに拡散することになる。
【００５７】
誤差拡散の手法としては、種々の方法を採用し得る。例えば、ある画素ＰＸの入力値（Ｒin，Ｇin，Ｂin）のビット幅を下げたことにより生じる誤差に予め定められた係数を乗じて、この画素ＰＸに隣接する画素ＰＸの入力値（Ｒin，Ｇin，Ｂin）に加算しても良い。また、上記係数を乱数により画素ＰＸごとに変化させることで、拡散の規則性を排除しても良い。
【００５８】
ステップＳ１０１以降の処理は、第１実施形態と同様である。但し、ステップＳ１０１以降の処理の対象となる入力値（Ｒin，Ｇin，Ｂin）は、データビット幅変換処理の後の入力値である。
以上説明した本実施形態によれば、入力値（Ｒin，Ｇin，Ｂin）と出力値（Ｒout，Ｇout，Ｂout，Ｗout）のビット幅が異なる場合であっても、画質の低下を防止することができる。また、データビット幅変換処理によりビット幅が変換された入力値（Ｒin，Ｇin，Ｂin）を対象とした一連の処理により、第１実施形態と同様の効果を得ることができる。
【００５９】
（第３実施形態）  
第３実施形態について説明する。図１１は、第３実施形態に係る信号処理装置４が実行する処理を示すフローチャートである。第１，第２実施形態において説明したステップと同一又は類似のステップには同一の符号を付し、説明を適宜省略する。
【００６０】
図１１のフローチャートは、ステップＳ１０３の逆γ補正を、ステップＳ１００のデータビット幅変換処理の前に実行する点で、図１０に示したものと相違する。すなわち、本実施形態では、入力値（Ｒin，Ｇin，Ｂin）に対して先ず逆γ補正が施され、この補正後の入力値（Ｒin，Ｇin，Ｂin）に対してデータビット幅変換処理が施される。
【００６１】
入力値（Ｒin，Ｇin，Ｂin）のビット幅を変換した後に逆γ補正を施した場合、この補正の後の入力値と、信号処理装置４の外部でγ補正が施される前のオリジナルの入力値とに誤差が生じ得る。これに対し、本実施形態によれば、信号処理装置４への入力値（Ｒin，Ｇin，Ｂin）を正確にオリジナルの入力値に戻したうえでデータビット幅変換処理を施せるので、出力値（Ｒout，Ｇout，Ｂout，Ｗout）の誤差を低減することができる。その他、本実施形態からは第１，第２実施形態と同様の効果を得ることができる。
【００６２】
（第４実施形態）  
第４実施形態について説明する。第１実施形態では、画素の入力値（Ｒin，Ｇin，Ｂin）が実質的に同一であるか否かを、画素ＰＸごとに判定する例を開示した。これに対し、本実施形態では、実質的に同一であるか否かの判定を複数の画素ＰＸで構成されるブロックごとに行う。
【００６３】
図１２は、本実施形態に係る判定方法の概念を説明するための図であって、表示領域２０に含まれる画素ＰＸの一部を示している。表示領域２０において、所定数の画素ＰＸを含むブロックＢＬが定義されている。この図の例では、４行４列の１６個の画素ＰＸで１つのブロックＢＬが構成されている。但し、１つのブロックＢＬを構成する画素ＰＸの行数、列数、及び個数は任意である。
【００６４】
信号処理装置４は、各ブロックＢＬについて検査値を生成し、この検査値が第１フレームと第２フレームとで実質的に同一であるかを判定する（ステップＳ１０２）。検査値としては、例えばブロックＢＬごとのチェックサムを利用することができる。具体的には、信号処理装置４は、ブロックＢＬに含まれる各画素ＰＸの第１フレームにおける入力値の各成分Ｒin，Ｇin，Ｂinをそれぞれ足し合わせることで、合計値Ｒsum１，Ｇsum１，Ｂsum１を生成する。さらに、信号処理装置４は、第２フレームにおける入力値の各成分Ｒin，Ｇin，Ｂinをそれぞれ足し合わせることで、合計値Ｒsum２，Ｇsum２，Ｂsum２を生成する。そして、信号処理装置４は、Ｒsum１とＲsum２、Ｇsum１とＧsum２、Ｂsum１とＢsum２が全て一致する場合には、このブロックＢＬに含まれる各画素ＰＸの入力値（Ｒin，Ｇin，Ｂin）が第１フレームと第２フレームで実質的に同一であると判定する。
【００６５】
或いは、信号処理装置４は、Ｒsum１とＲsum２の差分、Ｇsum１とＧsum２の差分、Ｂsum１とＢsum２の差分がいずれも閾値以下である場合に、ブロックＢＬに含まれる各画素ＰＸの入力値（Ｒin，Ｇin，Ｂin）が第１フレームと第２フレームで実質的に同一であると判定しても良い。この閾値は、第１実施形態で述べた閾値と同じく、固定値であっても良いし色相や彩度に応じた可変値であっても良い。
【００６６】
また、各成分Ｒin，Ｇin，Ｂinの合計値の全てを検査値として用いるのではなく、これらのうちのいずれか１つ、或いは２つを検査値としても良い。さらに、各成分Ｒin，Ｇin，Ｂinの合計値を足し合わせた値を検査値とすることもできる。
このような手法で入力値（Ｒin，Ｇin，Ｂin）が第１フレームと第２フレームで実質的に同一であると判定された画素ＰＸについて、例えば図７のフローチャートに示すステップＳ１０３〜Ｓ１０６の処理が実行される。一方で、実質的に同一でないと判定された画素ＰＸについては、ステップＳ１０３〜Ｓ１０６の処理が省略される。
【００６７】
なお、ここではチェックサムを用いてブロックＢＬごとに実質的同一の判定を行う場合を例示したが、例えば巡回冗長検査（ＣＲＣ）などの誤り検出の手法を応用して実質的同一の判定を行っても良い。ＣＲＣを応用する場合においては、例えば１つのブロックＢＬに含まれる画素ＰＸそれぞれの入力値（Ｒin，Ｇin，Ｂin）を示すビット列を所定の数値で割った際に得られる余りを上記の検査値として用いることができる。
【００６８】
本実施形態によれば、第１フレーム及び第２フレームの入力値（Ｒin，Ｇin，Ｂin）が実質的に同一であるか否かの判定を、複数の画素ＰＸについて纏めて実行できるので、信号処理装置４の処理負荷をより軽減することが可能となる。その他、本実施形態からは第１，第２実施形態と同様の効果を得ることができる。
【００６９】
以上、本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。各実施形態にて開示された構成を適宜に組み合わせることもできる。これら実施形態やその変形は、発明の範囲や要旨に含まれるとともに、特許請求の範囲に記載された発明とその均等の範囲に含まれる。
【００７０】
例えば、図７、図１０、及び図１１のフローチャートに示した処理は、適宜に順番を入れ替えることができる。また、これらのフローチャートに他の処理を追加したり、一部の処理を省略したりすることもできる。追加し得る処理としては、例えば、表示画像の画質を向上させるべく入力値（Ｒin，Ｇin，Ｂin）が表す色の彩度等を表示パネル２の特性に合わせて変換する彩度変換処理などが挙げられる。
【００７１】
各実施形態において、統計情報ＳＩ１〜ＳＩ４は、フレーム毎に逐次生成されるのではなく、ステップＳ２０３にて部分的に更新されながら連続するフレームに亘って維持される。そのため、各処理の演算における誤差などに起因して、徐々に正確性が失われる可能性がある。そこで、統計情報ＳＩ１〜ＳＩ４を定期的にリフレッシュしても良い。リフレッシュの具体例としては、統計情報ＳＩ１〜ＳＩ４のカウント値を所定数のフレームごとに零にし、新たに統計情報ＳＩ１〜ＳＩ４を生成することが考えられる。
【００７２】
各実施形態においては、画素ＰＸが赤色、緑色、青色、白色に対応する副画素ＳＰＸを備える場合を例示した。しかしながら、画素ＰＸは、赤色、緑色、青色、白色の副画素ＳＰＸに代えて、或いはこれらの副画素のＳＰＸとともに、他の色の副画素を備えても良い。このような構成の画素ＰＸを備える表示装置に対しても、各実施形態にて開示した技術的思想を応用することができる。
【００７３】
本開示から得ることができる表示装置のいくつかの例を、以下に付記する。
［１］  第１副画素、第２副画素、第３副画素、及び第４副画素を含む画素を有した表示パネルと、
１フレームの画像を表示するに際して、上記画素ごとに伸長係数の候補を決定し、決定した各候補に基づいて当該フレームに対する上記伸長係数を決定し、決定した上記伸長係数と、上記第１乃至第３副画素の成分を含む上記画素の入力値とに基づいて、上記第１乃至第４副画素の成分を含む上記画素の出力値を演算し、上記出力値を上記表示パネルに出力する処理装置と、
を備えた表示装置であって、
上記処理装置は、
上記入力値が第１フレーム及び上記第１フレームに続く第２フレームで実質的に同一でない上記画素については、当該画素の上記第２フレームにおける上記入力値に基づき、上記第２フレームの上記伸長係数の候補を演算し、
上記入力値が上記第１フレーム及び上記第２フレームで実質的に同一である上記画素については、上記第２フレームの上記伸長係数の候補を演算しない、
表示装置である。
［２］  上記処理装置は、上記入力値が上記第１フレーム及び上記第２フレームで実質的に同一である上記画素については、上記第１フレームにおいて演算された上記伸長係数の候補を、上記第２フレームにおける上記伸長係数の候補とする、
上記［１］に記載の表示装置である。
［３］  上記入力値が上記第１フレーム及び上記第２フレームで実質的に同一である上記画素には、上記第１フレーム及び上記第２フレームそれぞれの上記入力値における上記第１副画素の成分の差分、上記第１フレーム及び上記第２フレームそれぞれの上記入力値における上記第２副画素の成分の差分、上記第１フレーム及び上記第２フレームそれぞれの上記入力値における上記第３副画素の成分の差分が、いずれも閾値未満である上記画素が含まれる、
上記［１］又は［２］に記載の表示装置である。
［４］  上記処理装置は、上記入力値が表す色の色相及び彩度の少なくとも一方に基づいて上記閾値を設定する、
上記［３］に記載の表示装置である。
［５］  上記処理装置は、
複数の上記画素を含むブロックごとに検査値を生成し、
上記検査値が上記第１フレーム及び上記第２フレームで実質的に同一である上記ブロックに含まれる上記画素については、上記入力値が上記第１フレーム及び上記第２フレームで実質的に同一であると判定する、
上記［１］乃至［４］のうちいずれか１つに記載の表示装置である。
［６］  上記検査値は、上記ブロックに含まれる複数の上記画素それぞれの上記入力値について、上記第１副画素の成分を合計した値、上記第２副画素の成分を合計した値、及び、上記第３副画素の成分を合計した値の少なくとも１つを含む、
上記［５］に記載の表示装置である。
［７］  上記処理装置は、
上記入力値が表す色の彩度と上記伸長係数との関係を示す統計情報を生成し、
上記入力値が上記第１フレーム及び上記第２フレームで実質的に同一でない上記画素について、上記入力値に基づいて上記伸長係数の第１候補を決定するとともに、上記統計情報に基づいて上記伸長係数の第２候補を決定し、上記第１候補及び上記第２候補のうちのいずれか一方を当該画素の上記伸長係数の候補に選定する、
上記［１］乃至［６］のうちいずれか１つに記載の表示装置である。
［８］  上記処理装置は、
所定の色空間に定義された複数のエリアごとに上記統計情報を生成し、
上記入力値が上記第１フレーム及び上記第２フレームで実質的に同一でない上記画素について、上記複数のエリアのうち上記入力値が表す色が属するエリアの上記統計情報に基づいて上記第２候補を決定する、
上記［７］に記載の表示装置である。
［９］  上記入力値に含まれる上記第１乃至第３副画素の各成分は、第１ビット幅を有し、
上記出力値に含まれる上記第１乃至第４副画素の各成分は、上記第１ビット幅よりも小さい第２ビット幅を有し、
上記処理装置は、
上記入力値の上記各成分のビット幅を、上記第１ビット幅から上記第２ビット幅に変換し、
上記第２ビット幅に変換した後の上記各成分に基づき、上記入力値が上記第１フレーム及び上記第２フレームで実質的に同一であるかを判定する、
上記［１］乃至［８］のうちいずれか１つに記載の表示装置である。
［１０］  上記処理装置は、
上記入力値が上記第１フレーム及び上記第２フレームで実質的に同一でない上記画素については、上記第２フレームの上記入力値に対して逆γ補正を施し、上記逆γ補正後の上記入力値に基づいて上記第２フレームの上記伸長係数の候補を決定し、
上記入力値が上記第１フレーム及び上記第２フレームで実質的に同一である上記画素については、上記第２フレームの上記入力値に上記逆γ補正を施さない、
上記［１］乃至［９］のうちいずれか１つに記載の表示装置である。
［１１］  上記処理装置は、
上記入力値が上記第１フレーム及び上記第２フレームで実質的に同一でない上記画素については、上記逆γ補正を施した後の上記第２フレームの上記入力値と、上記第２フレームの上記伸長係数とに基づいて上記第２フレームの上記出力値を演算し、
上記入力値が上記第１フレーム及び上記第２フレームで実質的に同一である上記画素については、上記逆γ補正を施した後の上記第１フレームの上記入力値と、上記第２フレームの上記伸長係数とに基づいて上記第２フレームの上記出力値を演算する、
上記［１０］に記載の表示装置である。
【符号の説明】
【００７４】
１…液晶表示装置、２…表示パネル、３…バックライト、４…信号処理装置、５…光源ドライバ、２０…表示領域、２１…ゲートドライバ、２２…ソースドライバ、５０…フレームバッファ、ＰＸ…画素、（Ｒin，Ｇin，Ｂin）…入力値、（Ｒout，Ｇout，Ｂout，Ｗout）…出力値、ＳＰＸ…副画素、Ａ１〜Ａ４…第１〜第４色エリア、ＳＩ…統計情報、ＢＬ…ブロック。
【図１】
2017107043.tif 000003
【図２】
2017107043.tif 000004
【図３】
2017107043.tif 000005
【図４】
2017107043.tif 000006
【図５】
2017107043.tif 000007
【図６】
2017107043.tif 000008
【図７】
2017107043.tif 000009
【図８】
2017107043.tif 000010
【図９】
2017107043.tif 000011
【図１０】
2017107043.tif 000012
【図１１】
2017107043.tif 000013
【図１２】
2017107043.tif 000014